(57)【要約】【課題】  書籍等の刊行物をコピーする際に、コピー禁止箇所をマスキングして印字（コピー）することで、例えば、商標登録されているキャラクターの絵やロゴマーク等が乱用されるのを防ぐ。【解決手段】  本発明の画像形成装置においては、書籍１に貼り付けられたＩＣタグ（ＲＦＩＤ等）１０に、当該書籍１についてのコピー禁止箇所の有無情報と、コピーを禁止する特定パターンに関する情報を記憶させる。そして、画像形成装置に備えたリーダ／ライタ１０１によりＩＣタグ１０に記憶された情報を読み取り、書籍１にコピー禁止箇所があるか否かを判定し、コピー禁止箇所がある場合には、コピー画像とコピー禁止の特定パターンとの間でパターンマッチング処理を行い、特定パターンと一致した箇所をマスキングして印字する。【選択図】  図１
2006094346.tif 000002
【特許請求の範囲】
【請求項１】
書籍を含む刊行物に貼付されたＩＣタグのリーダ／ライタを備えると共に、前記刊行物のコピー画像を印字する画像形成装置であって、
前記リーダ／ライタにより、前記ＩＣタグに予め記録された当該刊行物についてのコピー禁止箇所の有無の情報と、コピーを禁止する特定パターンに関する情報とを読み取るコピー禁止情報読取手段と、
前記リーダ／ライタにより読み取ったコピー禁止箇所の有無の情報を基に、当該刊行物にコピー禁止箇所があるか否かを判定するコピー禁止箇所有無判定手段と、
前記コピー禁止箇所有無判定手段によりコピー禁止箇所があると判定された場合に、前記コピーを禁止する特定パターンに関する情報を基に、前記刊行物のコピー画像中のコピーが禁止される特定パターンを検出するパターンマッチング手段と、
前記パターンマッチング手段により検出されたコピーが禁止される特定パターンにマスク処理を施すマスク処理手段と
を備えることを特徴とする画像形成装置。
【請求項２】
前記コピーが禁止される特定パターンに関する情報が、前記特定パターンが掲載された刊行物のページの情報と、当該ページ中の特定パターンの掲載位置の情報であること
を特徴とする請求項１に記載の画像形成装置。
【請求項３】
前記コピーが禁止される特定パターンに関する情報が、コピーを禁止する特定パターンの画像データであること
を特徴とする請求項１に記載の画像形成装置。
【請求項４】
前記コピーが禁止される特定パターンに関する情報が、コピーを禁止する特定パターンの識別情報であり、
画像形成装置内には、前記特定パターンの識別情報に関連付けされた特定パターンの画像データが保存されていること
を特徴とする請求項１に記載の画像形成装置。
【請求項５】
書籍を含む刊行物に貼付されると共に、前記刊行物のコピー画像を印字する画像形成装置に、当該刊行物中のコピーを禁止する特定パターンを指定するためのＩＣタグであって、
当該刊行物にコピー禁止箇所があるか否かの情報と共に、
前記コピーを禁止する特定パターンの刊行物中の掲載箇所の情報か、コピーを禁止する特定パターンの画像データか、またはコピーを禁止する特定パターンの識別情報のいずれかまたは全部の情報が
記録されたことを特徴とするＩＣタグ。
【請求項６】
書籍を含む刊行物に貼付されたＩＣタグのリーダ／ライタを備えると共に、前記刊行物のコピー画像を印字する画像形成装置における画像形成方法であって、
前記リーダ／ライタにより、前記ＩＣタグに予め記録された当該刊行物についてのコピー禁止箇所の有無の情報と、コピーを禁止する特定パターンに関する情報とを読み取るコピー禁止情報読取手順と、
前記リーダ／ライタにより読み取ったコピー禁止箇所の有無の情報を基に、当該刊行物にコピー禁止箇所があるか否かを判定するコピー禁止箇所有無判定手順と、
前記コピー禁止箇所有無判定手順によりコピー禁止箇所があると判定された場合に、前記コピーを禁止する特定パターンに関する情報を基に、前記刊行物のコピー画像中のコピーが禁止される特定パターンを検出するパターンマッチング手順と、
前記パターンマッチング手順により検出されたコピーが禁止される特定パターンにマスク処理を施すマスク処理手順と
を含むことを特徴とする画像形成方法。
【請求項７】
書籍を含む刊行物に貼付されたＩＣタグのリーダ／ライタを備えると共に、前記刊行物のコピー画像を印字する画像形成装置内のコンピュータに、
前記リーダ／ライタにより、前記ＩＣタグに予め記録された当該刊行物についてのコピー禁止箇所の有無の情報と、コピーを禁止する特定パターンに関する情報とを読み取るコピー禁止情報読取手順と、
前記リーダ／ライタにより読み取ったコピー禁止箇所の有無の情報を基に、当該刊行物にコピー禁止箇所があるか否かを判定するコピー禁止箇所有無判定手順と、
前記コピー禁止箇所有無判定手順によりコピー禁止箇所があると判定された場合に、前記コピーを禁止する特定パターンに関する情報を基に、前記刊行物のコピー画像中のコピーが禁止される特定パターンを検出するパターンマッチング手順と、
前記パターンマッチング手順により検出されたコピーが禁止される特定パターンにマスク処理を施すマスク処理手順と
を実行させるためのプログラム。
【発明の詳細な説明】
【技術分野】
【０００１】
本発明は、印刷装置、複写機等の画像形成装置に関し、特に、刊行物に印刷されている特定のパターンをマスキングして印刷することができる、画像形成装置、ＩＣタグ、画像形成方法、及びプログラムに関する。
【背景技術】
【０００２】
近時、ＲＦＩＤ（Radio Frequency Identification）等の非接触ＩＣタグを個々の物品（例えば、書籍等）に貼付し、このＩＣタグ内に個々の物品に固有な情報を記録し、これらの物品の利用状況を管理する技術が開発されている。
【０００３】
このＲＦＩＤを利用した先行技術として、図書館、情報ライブラリ等の自動化システムに関する発明が開示されている（例えば、特許文献１参照）。
この特許文献１で開示された発明は、ＲＦＩＤを収蔵品に貼り付けて識別を行い、貸出/返却業務、収蔵管理/業務、不正持ち出し監視業務を省略することを目的とした発明である。
【特許文献１】特開２００３−２１６７４４号公報
【発明の開示】
【発明が解決しようとする課題】
【０００４】
ところで、書籍等の刊行物には、その出版社や作者に対して許可なくコピーすることを禁止したい箇所（コピーを禁止したい特定のパターン）がある場合がある。例えば商標登録しているキャラターの絵やロゴマーク等が挙げられる。しかし、上述した先行技術においてはＩＣタグ(ＲＦＩＤ)を貼り付けた書籍に関して、コピー禁止箇所の印刷制限を行なう配慮はなされていなかった。
【０００５】
本発明はこのような問題を解決するためになされたもので、その目的は、書籍等の刊行物をコピーする際に、コピー禁止箇所をマスキングして印字（コピー）することで、商標登録されているキャラクターの絵やロゴマーク等が乱用されるのを防ぐことができる、画像形成装置、ＩＣタグ、画像形成方法、及びプログラムを提供することにある。
【課題を解決するための手段】
【０００６】
本発明は上記課題を解決するためになされたものであり、本発明の画像形成装置は、書籍を含む刊行物に貼付されたＩＣタグのリーダ／ライタを備えると共に、前記刊行物のコピー画像を印字する画像形成装置であって、前記リーダ／ライタにより、前記ＩＣタグに予め記録された当該刊行物についてのコピー禁止箇所の有無の情報と、コピーを禁止する特定パターンに関する情報とを読み取るコピー禁止情報読取手段と、前記リーダ／ライタにより読み取ったコピー禁止箇所の有無の情報を基に、当該刊行物にコピー禁止箇所があるか否かを判定するコピー禁止箇所有無判定手段と、前記コピー禁止箇所有無判定手段によりコピー禁止箇所があると判定された場合に、前記コピーを禁止する特定パターンに関する情報を基に、前記刊行物のコピー画像中のコピーが禁止される特定パターンを検出するパターンマッチング手段と、前記パターンマッチング手段により検出されたコピーが禁止される特定パターンにマスク処理を施すマスク処理手段とを備えることを特徴とする。
これにより、コピーを禁止されている特定のパターン（マーク等）を印字しないようにできる。例えば、商標登録されているキャラクターの絵やロゴマーク等が乱用されるのを防ぐことができる。
【０００７】
また、本発明の画像形成装置は、前記コピーが禁止される特定パターンに関する情報が、前記特定パターンが掲載された刊行物のページの情報と、当該ページ中の特定パターンの掲載位置の情報であることを特徴とする。
これにより、ＩＣタグに記憶させるコピー禁止箇所に関する情報量を少なくできると共に、コピー画像中のコピー禁止箇所の検出処理が容易に行なえる。
【０００８】
また、本発明の画像形成装置は、前記コピーが禁止される特定パターンに関する情報が、コピーを禁止する特定パターンの画像データであることを特徴とする。
これにより、刊行物の種類に関わらずコピーを禁止する特定パターンを一律に指定できる。また、コピーを禁止する特定パターンをＩＣタグから直接読み出して使用できるので、コピー禁止箇所を検出するためのパターンマッチング処理が容易になる。
【０００９】
また、本発明の画像形成装置は、前記コピーが禁止される特定パターンに関する情報が、コピーを禁止する特定パターンの識別情報であり、画像形成装置内には、前記特定パターンの識別情報に関連付けされた特定パターンの画像データが保存されていることを特徴とする。
これにより、ＩＣタグに記憶させるコピー禁止箇所に関する情報量を低減できると共に、刊行物の種類に関わらずコピーを禁止する特定パターンを一律に指定できる。
【００１０】
また、本発明のＩＣタグは、書籍を含む刊行物に貼付されると共に、前記刊行物のコピー画像を印字する画像形成装置に、当該刊行物中のコピーを禁止する特定パターンを指定するためのＩＣタグであって、当該刊行物にコピー禁止箇所があるか否かの情報と共に、前記コピーを禁止する特定パターンの刊行物中の掲載箇所の情報か、コピーを禁止する特定パターンの画像データか、またはコピーを禁止する特定パターンの識別情報のいずれかまたは全部の情報が記録されたことを特徴とする。
これにより、画像形成装置において、コピーを禁止されている特定のパターン（マーク等）を印字しないようにできる。例えば、商標登録されているキャラクターの絵やロゴマーク等が乱用されるのを防ぐことができる。
【００１１】
また、本発明の画像形成方法は、書籍を含む刊行物に貼付されたＩＣタグのリーダ／ライタを備えると共に、前記刊行物のコピー画像を印字する画像形成装置における画像形成方法であって、前記リーダ／ライタにより、前記ＩＣタグに予め記録された当該刊行物についてのコピー禁止箇所の有無の情報と、コピーを禁止する特定パターンに関する情報とを読み取るコピー禁止情報読取手順と、前記リーダ／ライタにより読み取ったコピー禁止箇所の有無の情報を基に、当該刊行物にコピー禁止箇所があるか否かを判定するコピー禁止箇所有無判定手順と、前記コピー禁止箇所有無判定手順によりコピー禁止箇所があると判定された場合に、前記コピーを禁止する特定パターンに関する情報を基に、前記刊行物のコピー画像中のコピーが禁止される特定パターンを検出するパターンマッチング手順と、前記パターンマッチング手順により検出されたコピーが禁止される特定パターンにマスク処理を施すマスク処理手順とを含むことを特徴とする。
これにより、コピーを禁止されている特定のパターンを印字しないようにできる。例えば、商標登録されているキャラクターの絵やロゴマーク等が乱用されるのを防ぐことができる。
【００１２】
また、本発明のコンピュータプログラムは、書籍を含む刊行物に貼付されたＩＣタグのリーダ／ライタを備えると共に、前記刊行物のコピー画像を印字する画像形成装置内のコンピュータに、前記リーダ／ライタにより、前記ＩＣタグに予め記録された当該刊行物についてのコピー禁止箇所の有無の情報と、コピーを禁止する特定パターンに関する情報とを読み取るコピー禁止情報読取手順と、前記リーダ／ライタにより読み取ったコピー禁止箇所の有無の情報を基に、当該刊行物にコピー禁止箇所があるか否かを判定するコピー禁止箇所有無判定手順と、前記コピー禁止箇所有無判定手順によりコピー禁止箇所があると判定された場合に、前記コピーを禁止する特定パターンに関する情報を基に、前記刊行物のコピー画像中のコピーが禁止される特定パターンを検出するパターンマッチング手順と、前記パターンマッチング手順により検出されたコピーが禁止される特定パターンにマスク処理を施すマスク処理手順とを実行させるためのプログラムである。
【発明の効果】
【００１３】
本発明の画像形成装置及び画像形成方法においては、刊行物に貼り付けられたＩＣタグ（ＲＦＩＤ等）に、その刊行物のコピー禁止箇所の有無情報と、コピー禁止箇所（コピーを禁止する特定パターン）に関する情報を記憶させ、該ＩＣタグに記憶された情報を画像形成装置に備えたリーダ／ライタにより読み取り、刊行物にコピー禁止箇所がある場合には、コピー画像と特定パターンとの間でパターンマッチング処理を行い、特定パターンと一致した箇所をマスキングして印字（コピー）するようにしたので、これにより、コピーを禁止されている特定のパターン（マーク等）を印字しないようにできる。例えば、商標登録されているキャラクターの絵やロゴマーク等が乱用されるのを防ぐことができる。
【００１４】
また、本発明の画像形成装置においては、コピー禁止箇所を、刊行物の掲載ページと、該ページ中の掲載位置により指定するようにしたので、これにより、ＩＣタグに記憶させるコピー禁止箇所に関する情報量を少なくできると共に、コピー画像中のコピー禁止箇所の検出処理が容易に行なえる。
【００１５】
また、本発明の画像形成装置においては、ＩＣタグ中にコピーを禁止する特定のパターンの画像データを記憶させるようにしたので、これにより、刊行物の種類に関わらずコピーを禁止する特定パターンを一律に指定できる。また、コピーを禁止する特定パターンをＩＣタグから直接読み出して使用できるので、コピー禁止箇所を検出するためのパターンマッチング処理が容易になる。
【００１６】
また、本発明の画像形成装置においては、ＩＣタグ中にコピーを禁止する特定パターンを識別する情報を記憶させるようにしたので、これにより、ＩＣタグに記憶させるコピー禁止箇所に関する情報量を低減できると共に、刊行物の種類に関わらずコピーを禁止する特定パターンを一律に指定できる。
【００１７】
また、本発明のＩＣタグにおいては、刊行物に貼付されると共に、当該刊行物にコピー禁止箇所があるか否かの情報と、コピーが禁止される特定パターンに関する情報を記録するようにしたので、これにより、画像形成装置において、コピーを禁止されている特定のパターンを印字しないようにできる。例えば、商標登録されているキャラクターの絵やロゴマーク等が乱用されるのを防ぐことができる。
【発明を実施するための最良の形態】
【００１８】
次に本発明を実施するための最良の形態について図面を参照して説明する。
【００１９】
図１は、本発明の画像形成装置における処理手順を示すフローチャートであり、コピー対象となる書籍１に貼付されたＩＣタグ（ＲＦＩＤ等）１０の読み取りから、書籍ページのスキャニング、および書籍ページの印字（コピー）までの処理手順を示したフローチャートである。
【００２０】
以下、図１を参照して、その処理の流れについて説明する。
最初に、コピー対象となる書籍１に添付されたＩＣタグ（ＲＦＩＤ等）１０が、リーダ／ライタ１０１により読み取られる。ＩＣタグ１０内には、当該書籍１についての「コピー禁止箇所の有無の情報」と、「コピー禁止箇所（コピーを禁止する特定のパターン）に関する情報」とが記録されており、これらの情報がリーダ／ライタ１０１により読み取られる（ステップＳ１）。
【００２１】
このコピーが禁止される特定パターンに関連する情報の種類としては、例えば、「コピー禁止箇所の頁及び特定パターンの掲載箇所（マスクエリアの座標）の情報」や、「コピーを禁止する特定パターンの画像データ(または、画像の特徴部分のデータ)」や、「コピーを禁止する特定パターンを特定（識別）するデータ」等が記憶される。
【００２２】
次に、書籍１のコピー対象ページが画像形成装置のスキャナ１０２ａにより読み取られる（ステップＳ２）。
【００２３】
次に、画像形成装置では、ＩＣタグ１０に記憶されている「コピー禁止箇所有無情報」により、当該書籍１にコピー禁止箇所（コピーを禁止する特定パターン）があるかどうかを判定する（ステップＳ３）。もしコピー禁止箇所がない場合は、そのまま印字処理に移る（ステップＳ５）。
【００２４】
ステップＳ３においてコピー禁止箇所があると判定された場合は、パターンマッチング処理により、コピー対象ページ中から、コピーが禁止される特定のパターンと一致するものがあるか否かを検出する（ステップＳ４）。なお、このパターンマッチング処理では、コピーが禁止される特定パターンを指定する情報の種類に応じて処理方法が異なる。
【００２５】
例えば、コピー禁止箇所の指定情報が、「コピー禁止箇所の頁及び特定のパターンの掲載箇所（マスクエリアの座標）の情報」か、「コピーを禁止する特定パターンの画像データ(または、画像の特徴部分のデータ)」か、「コピーを禁止する特定パターンの識別情報」かに応じて処理方法が異なるが、これについては後述する画像形成装置の構成例において説明する。
【００２６】
そして、パターンマッチング処理によりコピー対象ページ中に特定パターンと一致するものがない判定された場合には、そのまま印字処理に移る（ステップＳ５）。パターンマッチング処理により、特定パターンと一致するものがある場合には、マスク処理を行い（ステップＳ６）、コピー禁止箇所のマスク処理を行ってから印字処理に移る（ステップＳ５）。
【００２７】
図２は、マスク処理による印字結果の例を示す図である。図２（ａ）は、コピー禁止箇所が含まれる原稿の例であり、図２（ｂ）は、コピー禁止箇所を白紙の状態で印字した例を示している。図２（ｃ）は、コピー禁止箇所を別パターンに置き換えて印字した例である。図２（ｄ）は、コピー禁止箇所に警告メッセージ等のパターンを重ねて印字した例である。
【００２８】
図２に示すようなマスク処理により、例えば、商標登録されているキャラクターの絵やロゴマークが乱用されるのを防ぐことができる。なお、図２に示した例の他に、例えば、コピー禁止箇所の解像度を極端に落として印字するなど、他の種々のマスク処理の方法を使用することができる。
【００２９】
また、図３は、ＩＣタグの構成例を示す図である。図３に示すＩＣタグは、ＲＦＩＤの例であり、ＩＣタグ１０には、アンテナ１１とＩＣチップ１２とが埋め込まれ、電磁波を媒体として、画像形成装置のリーダ／ライタ１０１とデータの交換を行う。
【００３０】
また、ＩＣチップ１２内には、電源整流部１３、送受信部１４、ＣＰＵ１５、記憶部２０が設けられている。電源整流部１３は、アンテナ１１で受信した電磁波を整流してＩＣチップ１２を駆動する電力を供給する。送受信部１４は、リーダ／ライタ１０１との間で、電磁波によるデータの送受信を行う処理部である。また、ＣＰＵ１５は、ＩＣチップ１２の全体を制御する。
【００３１】
記憶部２０には、ＩＣタグ属性情報（ＩＣタグの製造メーカ、製造番号、型式などの情報）２１、書籍ＩＤ情報（書籍登録番号）２２、コピー禁止箇所の有無情報２３、コピーが禁止される特定パターンに関する情報２４が記録されている。
【００３２】
また、コピーが禁止される特定パターンに関する情報２４としては、「コピーを禁止する特定パターンの画像データ２５」、「コピー禁止箇所の頁及び掲載箇所（マスクエリアの座標）のデータ２６」、「コピーを禁止する特定パターンの識別データ２７」のいずれかが記憶されている。
【００３３】
また、図４は、本発明における画像形成装置の第１の構成例を示す図であり、ＩＣタグ１０に記録されている情報が、「コピー禁止箇所の有無の情報」と、「コピー禁止箇所のページ及び掲載箇所（マスクエリアの座標）の情報」の場合の例である。
【００３４】
画像形成装置１００のリーダ／ライタ（コピー禁止情報読取手段）１０１は、書籍に貼り付けられたＩＣタグ（ＲＦＩＤ等）１０に記録された情報を、アンテナ１０１ａを介して電磁波により読み取る。このＩＣタグ１０には、前述のごとく、コピー禁止箇所の有無の情報と、コピー禁止箇所のページ及び掲載箇所（マスクエリアの座標）の情報とが格納されている。
【００３５】
ページスキャン部１０２は、書籍１のコピー対象ページをスキャナ１０２ａで読み取る処理を行う。
コピー禁止箇所有無判定部（コピー禁止箇所有無判定手段）１０３は、リーダ／ライタ１０１で読み取ったＩＣタグ１０のコピー禁止箇所有無の情報から、当該書籍にコピー禁止箇所があるか否かの判定を行なう。
【００３６】
パターンマッチング処理部（パターンマッチング手段）１０４では、コピー対象となるページがコピー禁止箇所のあるページか否かを判定する処理を行なうと共に、書籍の向きと方向を判別し、当該ページにおけるコピー禁止箇所の位置を検出する処理を行う。
【００３７】
マスク処理部（マスク処理手段）１０５では、パターンマッチング処理部１０４で検出したコピー禁止箇所の位置にマスク処理を行う。マスク処理については、図２に示したように。種々のマスクパターンを選択使用できる。
【００３８】
印字処理部１０６では、マスク処理部１０５によりマスク処理が施されたコピー画像の印字（コピー）を行なう。
【００３９】
また、図５は、本発明における画像形成装置の第２の構成例を示す図であり、ＩＣタグ１０に記録されている情報が、「コピー禁止箇所の有無の情報」と、「コピー禁止する特定パターンの画像データ」の場合の例である。
【００４０】
画像形成装置２００のリーダ／ライタ２０１は、書籍に貼り付けられたＩＣタグ（ＲＦＩＤ等）１０に記録された情報を、アンテナ２０１ａを介して電磁波により読み取る。このＩＣタグ１０には、前述のごとく、当該書籍に関するコピー禁止箇所の有無の情報、コピー禁止する特定パターンの画像データ(または、画像の特徴部分のデータ)が格納されている。
【００４１】
ページスキャン部２０２は、書籍１のコピー対象ページをスキャナ２０２ａで読み取る処理を行う。コピー禁止箇所有無判定部２０３は、リーダ／ライタ２０１で読み取ったＩＣタグ１０のコピー禁止箇所有無の情報から、当該書籍にコピー禁止箇所があるか否かの判定を行なう。
【００４２】
テンプレート画像展開処理部２０４では、ＩＣタグ１０から読み取ったパターンマッチング用のテンプレートデータ（コピーを禁止する特定パターンの画像データ、または、画像の特徴部分のデータ)をワークメモリ２０５に展開する処理を行う。
【００４３】
パターンマッチング処理部２０６では、書籍１の向きと方向を判別すると共に、ワークメモリ２０５に展開されたテンプレート画像と、書籍１のページの読取画像とのパターンマッチング処理を行い、コピー禁止画像（コピーを禁止する特定パターンの画像）のページ内での位置を検出する。
【００４４】
マスク処理部２０７では、パターンマッチング処理部２０６で検出したコピー禁止箇所の位置にマスク処理を行う。マスク処理については、図２に示したように。種々のマスクパターンを選択使用できる。
【００４５】
印字処理部２０８では、マスク処理部２０７によりマスク処理が施されたコピー画像の印字（コピー）を行なう。
【００４６】
また、図６は、本発明における画像形成装置の第３の構成例を示す図であり、ＩＣタグ１０に記録されている情報が、「コピー禁止箇所の有無の情報」と、「コピーを禁止する特定パターンの識別情報」の場合の例である。なお、データベース３０５には、ＩＣタグ１０に記録された「コピーを禁止する特定パターンの識別情報」に対応するパターン画像データ３０５ａが予め格納されている。
【００４７】
画像形成装置３００のリーダ／ライタ３０１は、書籍に貼り付けられたＩＣタグ（ＲＦＩＤ等）１０に記録された情報を、アンテナ３０１ａを介して電磁波により読み取る。このＩＣタグ１０には、前述のごとく、当該書籍に関するコピー禁止箇所の有無の情報、コピーを禁止する特定パターンの識別情報が格納されている。
【００４８】
ページスキャン部３０２は、書籍１のコピー対象ページをスキャナ３０２ａで読み取る処理を行う。コピー禁止箇所有無判定部３０３は、リーダ／ライタ３０１で読み取ったＩＣタグ１０のコピー禁止箇所有無の情報から、当該書籍にコピー禁止箇所があるか否かの判定を行なう。
【００４９】
画像抽出処理部３０４では、ＩＣタグから読み取った「コピーを禁止する特定パターンの識別情報（例えば、マークの識別番号等）」を基に、データベース３０５から該当する特定パターンの画像データを抽出し、ワークメモリ３０６に展開する処理を行う。
【００５０】
パターンマッチング処理部３０７では、書籍１の向きと方向を判別すると共に、ワークメモリ３０６に展開された特定パターン画像と、書籍１のページの読取画像とのパターンマッチング処理を行い、コピー禁止画像の位置を検出する。
【００５１】
マスク処理部３０８では、パターンマッチング処理部３０７により検出したコピー禁止箇所の位置にマスク処理を行う。マスク処理については、図２に示したように。種々のマスクパターンを選択使用できる。
【００５２】
印字処理部３０９では、マスク処理部３０８によりマスク処理が施されたコピー画像の印字（コピー）を行なう。
【００５３】
なお、上述した画像形成装置１００、２００、３００は内部にコンピュータシステムを有している。そして、上述した処理に関する一連の処理の過程は、プログラムの形式でコンピュータ読み取り可能な記録媒体に記憶されており、このプログラムをコンピュータが読み出して実行することによって、上記処理が行われる。
【００５４】
すなわち、画像形成装置１００、２００、３００における、各処理は、ＣＰＵ等の中央演算処理装置がＲＯＭやＲＡＭ等の主記憶装置に上記プログラムを読み出して、情報の加工、演算処理を実行することにより、実現されるものである。
【００５５】
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５６】
以上、本発明の実施の形態について説明したが、本発明の画像形成装置は、上述の図示例にのみ限定されるものではなく、本発明の要旨を逸脱しない範囲内において種々変更を加え得ることは勿論である。
【産業上の利用可能性】
【００５７】
本発明は、書籍等の刊行物をコピーする際に、コピー禁止箇所をマスキングして印字（コピー）することで、例えば商標登録されているキャラクターの絵やロゴマークが乱用されるのを防ぐ効果を奏するので、本発明は、画像形成装置、ＩＣタグ、画像形成方法、及びプログラム等に有用である。
【図面の簡単な説明】
【００５８】
【図１】本発明の画像形成装置における処理手順を示すフローチャートである。
【図２】マスク処理の例を示す図である。
【図３】ＩＣタグの構成例を示す図である。
【図４】本発明の画像形成装置の第１の構成例を示す図である。
【図５】本発明の画像形成装置の第２の構成例を示す図である。
【図６】本発明の画像形成装置の第３の構成例を示す図である。
【符号の説明】
【００５９】
１  書籍（刊行物）
１０  ＩＣタグ
１１  アンテナ
１２  ＩＣチップ
２０  記憶部
１００、２００、３００  画像形成装置
１０１、２０１、３０１  リーダ／ライタ
１０１ａ、２０１ａ、３０１ａ  アンテナ
１０２、２０２、３０２  ページスキャン部
１０２ａ、２０２ａ、３０２ａ  スキャナ
１０３、２０３、３０３  コピー禁止箇所有無判定部
１０４  パターンマッチング処理部
１０５  マスク処理部
１０６  印字処理部
２０４  テンプレート画像展開処理部
２０５  ワークメモリ
２０６  パターンマッチング処理部
２０７  マスク処理部
２０８  印字処理部
３０４  画像抽出処理部
３０５  データベース
３０５ａ  パターン画像データ
３０６  ワークメモリ
３０７  パターンマッチング処理部
３０８  マスク処理部
３０９  印字処理部
【図１】
2006094346.tif 000003
【図２】
2006094346.tif 000004
【図３】
2006094346.tif 000005
【図４】
2006094346.tif 000006
【図５】
2006094346.tif 000007
【図６】
2006094346.tif 000008